(57)【要約】【課題】  ドア本体の円滑な回転を確保しつつ指詰め事故を防ぐことができるドア構造を提供すること。【解決手段】  縦枠５に、カバー５０を他方空間Ｓ２へ向けて突設し、このカバー５０を、閉状態時のドア本体１０に接近するように傾斜されて一方縦枠５の内側面６と協働してドア本体１０の側端部１１の回転を許容する空間を形成するとともに当該一方縦枠５の内側面６と当該ドア本体１０の側端部１１との間の隙間を覆う傾斜部５１および当該傾斜部５１の内側に当該カバー５０を当該一方縦枠５の内側面６に固定するための固定部材打ち込みに使用される被固定部５５を有する構成とする。【選択図】      図１
2011106098.tif 000002
【特許請求の範囲】
【請求項１】
建造物内の一方空間と他方空間とを仕切る壁を有し、この壁には枠部を介して前記一方空間と前記他方空間とを連絡する開口部が形成されているとともに、当該開口部を開閉可能な回転支持型のドア本体が設けられており、前記枠部は一対の縦枠と一対の横枠とからなり、前記ドア本体は閉状態時に前記一対の縦枠のうちの一方の縦枠の内側面と対向する側端部を有しており、当該ドア本体の側端部は、閉状態時に前記一方空間と面する一方角部と前記他方空間に面する他方角部とを有しており、当該ドア本体はその側端部よりも内側の回転中心線を中心として一方角部が前記縦枠の内側面に近づく方向に閉状態位置から１１０°回転可能かつ戻し回転可能に構成されたドア構造において、
前記一方縦枠の前記他方空間と面する内側面部分に、カバーを当該他方空間へ向けて突設し、
前記カバーが、閉状態時のドア本体に接近するように傾斜されて前記一方縦枠の内側面と協働して前記ドア本体の側端部の回転を許容する空間を形成するとともに当該一方縦枠の内側面と当該ドア本体の側端部との間の隙間を覆う傾斜部および当該傾斜部の内側に当該カバーを当該一方縦枠の内側面に固定するための固定部材打ち込みに使用される被固定部を有する構成とされたことを特徴とするドア構造。
【請求項２】
前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、
前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、
前記トライアル係合部材は、平面視略正三角形状のガイド溝を有しており、その３つの角部のうちの１つであり前記一方空間寄りの第１の角部が前記ドア本体の幅方向中央線に対して当該ドア本体の一方角部と同一側となる位置に形成されており、当該第１の角部には、前記固定側突出部の一方端部と摺接しながら相対回転する円弧形状に凹んだ第１の回転支持凹部が形成され、他の２つの角部である第２の角部および第３の角部は前記幅方向中央線に対して前記第１の角部とは反対側になるように配設されており、当該第２、第３の角部のうち当該ドア本体の他方角部に近い方の第２の角部には、前記固定側突出部の他方端部と摺接しながら相対回転する円弧形状に凹んだ第２の回転支持凹部が形成されており、当該第２の角部と前記第３の角部との間には、前記トライアル係合部材の第１の回転支持凹部が前記固定突出部材の一方端部と摺接しながら相対回転する場合の当該固定突出部材の長さ相当の半径を有する円弧形状の第２大曲率ガイド面が形成されるとともに、当該第３の角部と前記第１の角部との間には、前記トライアル係合部材の第２の回転支持凹部が前記固定突出部材の他方端部と摺接しながら相対回転する場合の当該固定突出部材の長さ相当の半径を有する円弧形状の第１大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とする請求項１記載のドア構造。
【請求項３】
前記カバーの被固定部が、前記傾斜部の内側面となす角度が８０°〜１００°となるように形成されたことを特徴とする請求項１又は請求項２記載のドア構造。
【請求項４】
前記カバーは、剛体で前記枠部と同種の材料から形成されていることを特徴とする請求項１〜３のうちのいずれか１項記載のドア構造。
【発明の詳細な説明】
【技術分野】
【０００１】
本発明は、回転中心線を中心として１１０°回転可能な回転支持型のドア本体と当該ドア本体の回転支持端部を覆うカバーとを有するドア構造に関する。
【背景技術】
【０００２】
例えば、建造物の各部屋の出入口にはドアが設けられることが多い。一般のドア構造を図１７に示す。
【０００３】
図１７において、２は、建造物に固定されかつ開口部を有する壁である。この壁２の開口部には、ドア本体７１が所定角度（例えば１１０°）の範囲で回転自在に設けられている。通常、壁２の開口部は、枠部（図示省略）を介して設けられることが多い。なお、図１７（Ａ）中、実線で示すドア本体７１は、閉じられている状態を示す。
【０００４】
このドア本体７１は、図１８に示すように、閉状態時に壁２の開口部と面する内側面４と対向する側端部７２を有しており、当該ドア本体７１はその側端部７２よりも内側に設けられたヒンジ金具７５（回転中心線Ｙ）を中心として所定角度の範囲で回転自在とされている。ドア本体７１と壁２の内側面４との間には、ある程度の隙間が設けられている。これは、隙間がないと、図１９に示すように、ドア本体７１の回転時に側端部７２の角部が壁２の内側面４と当ってしまい、それ以上回転できなくなるからである。
【０００５】
ここで、図１８中想像線で示すように、ドア本体７１が所定角度回転した状態で、当該ドア本体７１と壁２の内側面４との隙間（Ｇ）が大きすぎると、当該隙間（Ｇ）に人の指が何らかの原因で入ってしまうことがある。その状態で、ドア本体７１が閉じられると、人の指が上記隙間（Ｇ）に挟まれて怪我する事故が起こることがある。
【０００６】
かかる事故が起こらないように、ドア本体７１の側端部７２と壁２の内側面４との間の距離（Ｌ０）を縮めることが考えられる。しかし、これでは、図１９に示すように、ドア本体７１の側端部７２の角部が回転時に壁２の内側面４と干渉してしまい回転続行不可能となってしまう。
【０００７】
そこで、ドア本体７１の円滑な回転を確保しつつ指詰め事故が起こらないようにする方策として、ある程度の隙間（Ｇ）をドア本体７１と壁２との間に設けるとともに当該隙間（Ｇ）部分を外から覆うカバー（図示省略）を設けることが提案されている（例えば、特許文献１参照）。このカバーは、縦に折り畳み可能な超薄シートとされており、ドア本体７１の回動中も変形してドアヒンジ部を覆うことにより、上記隙間（Ｇ）に指が挟まれるのを防止する構成とされている。
【特許文献１】特開２００３−１８４４２０号公報
【発明の開示】
【発明が解決しようとする課題】
【０００８】
ところで、特許文献１に係る発明の場合、いかにカバーの意匠を工夫してみても見栄えが悪くなりがちである。最近では、ドアはインテリアの中でも重要な構成要素となっており、外観の美観性の観点から重大な問題である。
【０００９】
本発明の目的は、上記事情に鑑み、外観の美観性を満たしつつ、そしてドア本体の円滑な回転を確保しつつ指詰め防止を図ることができるドア構造を提供することにある。
【課題を解決するための手段】
【００１０】
請求項１の発明は、建造物内の一方空間と他方空間とを仕切る壁を有し、この壁には枠部を介して前記一方空間と前記他方空間とを連絡する開口部が形成されているとともに、当該開口部を開閉可能な回転支持型のドア本体が設けられており、前記枠部は一対の縦枠と一対の横枠とからなり、前記ドア本体は閉状態時に前記一対の縦枠のうちの一方の縦枠の内側面と対向する側端部を有しており、当該ドア本体の側端部は、閉状態時に前記一方空間と面する一方角部と前記他方空間に面する他方角部とを有しており、当該ドア本体はその側端部よりも内側の回転中心線を中心として一方角部が前記縦枠の内側面に近づく方向に閉状態位置から１１０°回転可能かつ戻し回転可能に構成されたドア構造において、前記一方縦枠の前記他方空間と面する内側面部分に、カバーを当該他方空間へ向けて突設し、前記カバーが、閉状態時のドア本体に接近するように傾斜されて前記一方縦枠の内側面と協働して前記ドア本体の側端部の回転を許容する空間を形成するとともに当該一方縦枠の内側面と当該ドア本体の側端部との間の隙間を覆う傾斜部および当該傾斜部の内側に当該カバーを当該一方縦枠の内側面に固定するための固定部材打ち込みに使用される被固定部を有する構成とされたことを特徴とするドア構造である。
【００１１】
上記請求項１の発明の場合、カバーの傾斜部が一方縦枠の内側面とドア本体の側端部との間の隙間を覆うので、当該隙間に人間の手の指が挟まってしまうのを効果的に防げる。なお、カバーは、一方縦枠の内側面と協働してドア本体の側端部の回転を許容する空間を形成するので、ドア本体の円滑な回動は確保される。
【００１２】
また、カバーの傾斜部は閉状態時のドア本体に接近するように傾斜されているので、他方空間における占有容積を大きくすることなく上記隙間を覆うことができるので、外観の美観性を損なわない。
【００１３】
また、カバーを一方縦枠の内側面に固定するための固定部材打ち込みに使用される被固定部が、他方空間からは目視し難い傾斜部の内側に形成されているので、釘などの固定部材を打ち込んでも目に付きづらく、この点でも外観の美観性を低下させない。
【００１４】
請求項２の発明は、前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、前記トライアル係合部材は、平面視略正三角形状のガイド溝を有しており、その３つの角部のうちの１つであり前記一方空間寄りの第１の角部が前記ドア本体の幅方向中央線に対して当該ドア本体の一方角部と同一側となる位置に形成されており、当該第１の角部には、前記固定側突出部の一方端部と摺接しながら相対回転する円弧形状に凹んだ第１の回転支持凹部が形成され、他の２つの角部である第２の角部および第３の角部は前記幅方向中央線に対して前記第１の角部とは反対側になるように配設されており、当該第２、第３の角部のうち当該ドア本体の他方角部に近い方の第２の角部には、前記固定側突出部の他方端部と摺接しながら相対回転する円弧形状に凹んだ第２の回転支持凹部が形成されており、当該第２の角部と前記第３の角部との間には、前記トライアル係合部材の第１の回転支持凹部が前記固定突出部材の一方端部と摺接しながら相対回転する場合の当該固定突出部材の長さ相当の半径を有する円弧形状の第２大曲率ガイド面が形成されるとともに、当該第３の角部と前記第１の角部との間には、前記トライアル係合部材の第２の回転支持凹部が前記固定突出部材の他方端部と摺接しながら相対回転する場合の当該固定突出部材の長さ相当の半径を有する円弧形状の第１大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とする請求項１記載のドア構造である。
【００１５】
上記請求項２の発明は、上記請求項１の発明と同様な作用を奏する他、次のような作用を奏する。すなわち、ドア本体を閉状態にある位置から開状態位置まで回転させると、回転中に当該ドア本体の回転中心線は変位する。これに伴って、ドア本体は静止体（縦枠、カバー）に対して移動することになる。すなわち、ドア本体は、上記回転中心線の変位に相応した距離だけ縦枠から離れるとともにカバーに接近することになる。これにより、ドア本体は、縦枠に干渉することなく一段と円滑回転が確保される。また、ドア本体の回転に伴い当該ドア本体とカバーとの距離は狭まってくるので、カバーの縦枠への固定位置および傾斜部の傾斜角度を適宜選択すれば、カバーとドア本体の側端部との間の横方向視隙間を人の指が入りこめないほど狭くすることができ、容易に指詰め事故を一段と容易かつ確実に防止することができる。
【００１６】
請求項３の発明は、前記カバーの被固定部が、前記傾斜部の内側面となす角度が８０°〜１００°となるように形成されたことを特徴とする請求項１又は請求項２記載のドア構造である。
【００１７】
上記請求項３の発明では、上記請求項１又は２の発明と同様な作用を奏する他、被固定部に釘などの固定部材を打ち込んで一方縦枠の内側面に固定する際、固定部材を工具（例えば金槌）で打ち込みやすくなり作業性が一段と向上する。また、打ち込んだ釘の頭などはカバーの傾斜部に隠れて外部からは見えないので、外観美観性を損なわない。
請求項４の発明は、前記カバーは、剛体で前記枠部と同種の材料から形成されていることを特徴とする請求項１〜３のうちのいずれか１項記載のドア構造である。
【００１８】
上記請求項４の発明では、上記請求項１〜３の発明のいずれかと同様な作用を奏する他、カバーは剛体で枠部と同種の材料で形成されており、従来例のように変形してドア本体の回転軸付近を覆うのではないので、枠部の一部と同視されるのでデザイン上の統一感を一段と増すことができ、外観美観性を一段と向上させることができる。
【発明の効果】
【００１９】
請求項１の発明によれば、カバーの傾斜部が一方縦枠の内側面とドア本体の側端部との間の隙間を覆うので、当該隙間に人間の手の指が挟まってしまうのを効果的に防げる。また、カバーの傾斜部は閉状態時のドア本体に接近するように傾斜されているので、他方空間における占有容積を大きくすることなく上記隙間を覆うことができるので、従来のカバーに見られるいわゆるボッテリした印象を払拭できる。また、カバーを一方縦枠材の内側面に固定するための固定部材を打ち込むために使用する被固定部が、外部（他方空間）からは目視し難い傾斜部の内側に形成されているので、釘などの固定部材を打ち込んでも目につかない。したがって、外観の美観性を満たしつつ、そしてドア本体の円滑な回転を確保しつつ指詰め防止を図ることができる。
【００２０】
請求項２の発明によれば、上記請求項１の発明と同様な効果を奏する他、ドア本体の回動中にその回転中心線が移行して当該ドア本体の側端部と一方縦枠材の内側面との間の隙間が極力小さくなるように自動調整されるので、ドア本体の円滑な９０°回転を確保しつつ一段と有効に指詰め防止を図ることができる。
【００２１】
請求項３の発明によれば、カバーの被固定部が傾斜部の内側面と直角となるように形成されているので、上記請求項１又は２の発明と同様な効果を奏する他、固定部材を被固定部に工具（例えば金槌）で打ち込みやすくなり作業性が一段と向上する。
【００２２】
請求項４の発明によれば、前記カバーは、剛体で前記枠部と同種の材料から形成されているので、上記請求項１〜３の発明のいずれかと同様な作用を奏する他、カバーが枠部の一部と同視されるのでデザイン上の統一感を一段と増すことができ、外観美観性を一段と向上させることができる。
【発明を実施するための最良の形態】
【００２３】
第１の実施の形態に係るドア構造は、図１および図５に示すように、建造物内の壁２に枠部４を介して形成された開口部に９０〜１１０°（本実施形態では１１０°）回転可能に回転支持型のドア本体１０が配設されたものであって、当該ドア本体１０の回転支持部の付近に本発明の特徴部であるカバー５０を設けて当該ドア本体１０の円滑な回転を図りつつ、壁２側の縦枠５との間の隙間（Ｇ）に指を挟んで傷める事故を防止しようとするものである。なお、図５では、カバー５０は、図示を省略する。
【００２４】
具体的には、壁２は、図１に示すように、建造物（例えば、一般住宅やオフィスビルなど）内の一方空間Ｓ１と他方空間Ｓ２とを仕切るものである。この壁２には、枠部４を介して一方空間Ｓ１と他方空間Ｓ２とを連絡する開口部が形成されている。
【００２５】
枠部４は、ドア本体１０を回転支持する側の一方縦枠５と、この一方縦枠５に対向して立設された他方縦枠５ａと、上下方向に対向して配設された一対の横枠（８，８）とから形成されている。この実施形態では、枠部４は、木製とされているが、金属製（例えばアルミニウム製）としてもよい。
【００２６】
一方縦枠５の他方空間Ｓ２と面する内側面６部分には、図１に示すように、カバー５０が当該他方空間Ｓ２へ突出するように取り付けられている。このカバー５０は、デザイン上、枠部４との統一感を出すために当該枠部４と同一の材料で形成されている。この実施形態では、枠部４が木製とされているので、カバー５０も同一種類の木製とされている。枠部４が金属製（例えばアルミニウム製）の場合にはカバー５０も同一種類の金属製とする。なお、カバー５０を一方縦枠５と一体形成することも可能である。
【００２７】
具体的には、カバー５０は、図１中実線で示す閉状態時のドア本体１０に接近するように傾斜された傾斜部５１と、当該カバー５０を縦枠５の内側面６に固定するための固定部材（釘やビスなど）５９を打ち込むために使用される部位である被固定部５５とを有し、当該縦枠５の内側面６との間に図１中平面視鋭角の空き空間を形成して当該ドア本体１０の側端部１１の回転許容空間を確保するとともに、当該側端部１１と当該内側面６との間の隙間（Ｇ）に手の指が入り込んで傷めるのを未然に防止する構成とされている。
【００２８】
この実施形態では、カバー５０の傾斜部５１は、図２に示すように、縦枠５の内側面６の法線方向Ｎより同図実線で示す閉状態時のドア本体１０に接近するように角度φ（本実施形態ではφ＝２０°）だけ傾斜するように形成されている。
【００２９】
このカバー５０の存在によって、他方空間Ｓ２の人の手の指が上記隙間（Ｇ）に縦枠５の内側面６に沿う方向（図１中矢印Ｃ，Ｄ方向）から入り込むのが防止されるのは勿論であるが、縦枠５の内側面６と直交する方向（図１中矢印Ｅ，Ｆ方向）から手の指が入り込もうとしても、当該矢印Ｅ，Ｆ方向（横方向）から視たカバー５０の傾斜部５１の先端５１ｐとドア本体１０の側端部１１の他方角部１２との間の隙間（横方向視隙間）Ｇ１が手の指が入り込むのを阻止可能な狭さに設定されているので、進入が阻止される。
【００３０】
また、カバー５０の被固定部５５は、図２に示すように、その表面が上記傾斜部５１の内側面５２とβ（β＝９０°〜１１０°、本実施形態ではβ＝９０°）をなして交わるように当該傾斜部５１の内側に設けられている。これにより、カバー５０が、縦枠５と別部材であって当該縦枠５に固定する際に被固定部５５に釘などの固定部材５９を打ち込んでも当該釘の頭などは外部（他方空間Ｓ２側）からは見えず、外観美観性を損なわない。もとより、一方空間Ｓ１側からも上記固定部材５９はドア本体１０に隠れて見えない。
【００３１】
ドア本体１０は、ヒンジ１９等の回転支持機構を介してその縦方向軸心（回転中心線Ｙ）を中心として回動可能とされている。なお、ヒンジ１９は、ドア本体１０の側端部１１が回転中に一方縦枠５の内側面６と干渉しない長さだけ当該内側面６から離れた位置に設けられている。
【００３２】
このドア本体１０を図１実線で示す閉状態位置から同図中矢印Ｑ方向へ９０°〜１１０°（この実施形態では１１０°）回転させて同図想像線で示す開状態位置まで変位させれば、壁２の開口部は開いて一方空間Ｓ１と他方空間Ｓ２とは連通する。また、ドア本体１０を開状態位置から閉状態位置まで回転（すなわち、戻し回転）すれば、壁２の開口部は閉じて一方空間Ｓ１と他方空間Ｓ２とは遮断される。
【００３３】
ここで、ドア本体１０の側端部１１と一方縦枠５との間に指を挟む事故は、ドア本体１０が開状態から戻し回転される場合が多いが、かかる場合でもカバー５０の傾斜部５１とドア本体１０の側端部１１との間に生じる横方向視隙間Ｇ１はドア本体１０が閉状態位置にある場合に比べて過大に広くなってはおらず、有効に指挟み事故を防げる。なお、カバー５０は、一方縦枠５と協働して奥に広い空き空間を形成するので、ドア本体１０の側端部１１の回転が妨げられることはなく、ドア本体１０の円滑な回転は確保される。
【００３４】
また、カバー５０の傾斜部５１は、閉状態時のドア本体１０に接近するように傾斜されており他方空間Ｓ２における占有容積が小さくなり、いわゆるボッテリした印象を見る人に与えず外観の美観性を損なわない。
【００３５】
また、カバーを一方縦枠に固定するための固定部材５９が打ち込まれる被固定部５５が傾斜部５１の内側に形成されており他方空間Ｓ２からは目視し難いので、この点でも外観の美観性を低下させない。
（第２の実施形態）
【００３６】
第２の実施形態のドア構造は、ドア本体１０が開閉する際に回転中心（Ｙ１等）が変位してその側端部１１が縦枠５との間に生じる隙間（Ｇ）を小さくするとともに、カバー５０の傾斜部５１との間に生じる横方向視隙間Ｇ１を一段と狭くして、ドア本体１０の円滑な回転を確保しつつ一段と指詰め防止を図ることができる構成とされている。
【００３７】
ここで、第２の実施形態のドア構造は、ドア本体１０回転時の回転中心（Ｙ１等）を変位させる回転支持機構を有する他は第１実施形態の場合と同様な構成であるので、ドア本体１０の回転支持機構を以下に詳細に説明し、カバー５０等の説明は簡略化もしくは省略する。
【００３８】
具体的には、第２実施形態のドア構造は、図６および図１０に示すように、基本的には上記第１実施形態と同様に建造物内の壁２に枠部４を介して形成された開口部３にドア本体１０が９０°〜１１０°（この実施形態では１１０°）回転可能に設けられており、一対の固定突出部材２０と一対のトライアル係合部材３０とからなる回転支持機構を備えた構成とされている。
【００３９】
一対の固定突出部材２０（２０Ｕ，２０Ｄ）は、図１０に示すように、ドア本体１０の回転中心線（Ｙ１等）に対応する上下端部位置に対向するように建造物（縦枠５）に固設されている。また、一対のトライアル係合部材（３０Ｕ，３０Ｄ）は、ドア本体１０の上記した上下端部（上側端部１５，下側端部１６）位置に固設されている。各トライアル係合部材（３０Ｕ，３０Ｄ）は、それぞれガイド溝３１を有しており、当該各ガイド溝３１には対応する固定係合部材（２０Ｕ，２０Ｄ）が接触して、ドア本体１０を回転する際にはその回転中心線（Ｙ１等）を変位させる役目を果たす。
【００４０】
詳しくは、上方の固定突出部材２０Ｕは、図１１に示すように、ドア本体１０の回転中心線（Ｙ１等）に対応する上側端部１５位置に対向するように縦枠５の内側面６に取付部材２９等を介して固定されている。また、下方の固定突出部材２０Ｄは、図１２に示すように、ドア本体１０の回転中心線（Ｙ１等）に対応する下側端部１６位置に対向するように取付部材２９等を介して縦枠５の内側面６に固定されている。
【００４１】
各固定突出部材（２０Ｄ，２０Ｕ）は、図１３に示すように、それぞれ一定の幅（ｗ３）および長さ（Ｌ３）を有しており、長さ方向の両端部には半円形状（半径a）の一方端部２１と他方端部２２とが形成されている。なお、各固定突出部材（２０Ｄ，２０Ｕ）は、所定の厚みｔ３を有する。なお、図１３において、２６は固定突出部材２０（２０Ｄ，２０Ｕ）の側面、２５は天地面で水平面とされている。
【００４２】
上記各両固定突出部材（２０Ｄ，２０Ｕ）は、対応するドア本体１０の上下端部（上側端部１５，下側端部１６）へ向けて突出しており、図１１および図１２に示すように、縦枠５の内側面６と直角の方向に対して所定角度α（例えば６７°）だけ傾くように設けられている。各固定突出部材（２０Ｄ，２０Ｕ）は鏡像関係にあり、真上から見た形状は同一である。
【００４３】
一対のトライアル係合部材（３０Ｄ，３０Ｕ）は、図１４および図１５に示すように、それぞれガイド溝３１を有している。そして、各トライアル係合部材（３０Ｄ，３０Ｕ）は、それぞれのガイド溝３１が対応する各固定突出部材（２０Ｄ，２０Ｕ）と接触するようにドア本体１０の回転中心線（Ｙ１等）に対応する上下端部（１５，１６）位置に設けられている。すなわち、下のトライアル係合部材３０Ｄは、図１５に示すように、そのガイド溝３１が下側を向くようにドア本体１０の回転中心線（Ｙ１等）に対応する下端部位置１６に取付部材４１を介して固定されている。また、上のトライアル係合部材３０Ｕは、図１４に示すように、そのガイド溝３１が上側を向くようにドア本体１０の回転中心線（Ｙ１等）に対応する上端部１５位置に取付部材４１Ｕを介して固定されている。これらのトライアル係合部材（３０Ｄ，３０Ｕ）は鏡像関係にあり、真上から見た形状は同一である。
【００４４】
各トライアル係合部材のガイド溝３１は、図１６に示すように、平面視略正三角形状をしており、３つの角部（３２，３４，３６）のうちの１つの角部である第１の角部３２が図６に示すドア本体１０の幅方向中央線Ｃに対して当該ドア本体１０の側端部１１の一方角部１３と同一側となるように配設されている。そして、この一方角部３４には、固定側突出部（２０Ｄ，２０Ｕ）の一方端部２１と摺接しながら相対回転する円弧形状に凹んだ第１の回転支持凹部３３が形成されている。
【００４５】
他の２つの角部（３４，３６）は、前記幅方向中央線Ｃに対して前記一方角部３２とは反対側になるように配設されており、当該角部（３４，３６）のうちドア本体１０の側端部１１の他方角部１２に近くに配設される角部（第２の角部）３４には、前記固定側突出部（２０Ｄ，２０Ｕ）の他方端部２２と摺接しながら相対回転する円弧形状に凹んだ第２の回転支持凹部３５が形成されている。第２の回転支持凹部３５が形成された第２の角部３３と他方の角部（第３の角部）３６との間には、第２の大曲率ガイド面３８が形成されている。この第２の大曲率ガイド面３８は、前記トライアル係合部材（３０Ｄ，３０Ｕ）の第１の回転支持凹部３３が前記固定突出部材（２０Ｄ，２０Ｕ）の一方端部２１と摺接しながら相対回転する場合の当該固定突出部材２０の長さＬ３相当の半径ｂ（＝Ｌ３）を有する円弧形状に形成されている。
【００４６】
第３の角部３６と前記第１の角部３２（第１の回転支持凹部３３）との間には、第１の大曲率ガイド面３７が形成されている。この第１の大曲率ガイド面３７は、前記トライアル係合部材（３０Ｄ，３０Ｕ）の第２の回転支持凹部３５が前記固定突出部材（２０Ｄ，２０Ｕ）の他方端部２２と摺接しながら相対回転する場合の当該固定突出部材（２０Ｄ，２０Ｕ）の長さＬ３相当の半径ｂ（＝Ｌ３）を有する円弧形状に形成されている。前記第１の回転支持凹部３３と第２の回転支持凹部３５との間は、前記固定突出部材（３０Ｄ，３０Ｕ）の側面２６に向けて出っ張って（半径ｃの円弧形状）、当該側面２６と転がり接触する回転中心移行ガイド面３９が形成されている。
【００４７】
上記第２の実施形態に係るドア構造の場合の作用を以下に説明する。なお、各固定側突出部（２０Ｄ，２０Ｕ）は前記したように鏡像関係にあり、図１０の矢視線Ｅから視た形状は同一であるので、当該同一形状のものを符号２０で表わして固定突出部材を説明する。同様に、各トライアル係合部材（３０Ｄ，３０Ｕ）も前記したように鏡像関係にあり、同図の矢視線Ｅから視た形状は同一であるので、当該同一形状のものを符号３０で表わしてトライアル係合部材を説明する。なお、取付部材（２９，４１）は図示を省略する。また、上記したように、固定突出部材２０は、縦枠５の内側面６と直角な方向に対して所定角度α（例えば６７°）だけ傾斜しており、図１に示す閉状態のドア本体１０の幅方向中央線Ｃを上記角度αで横切っている。
【００４８】
ドア本体１０を図６に示す閉状態から９０°〜１１０°回転させて開状態位置まで変位させる場合には、図７に示すように、回転開始から初期のうち（少なくともドア本体１０の側端部１１の一方角部１３が縦枠５の内側面６に接近する間）は、ドア本体１０側のトライアル係合部材３０のガイド溝３１の部位のうち第１の回転支持凹部３３と固定突出部材２０の一方端部２１とが摺接して相対回転する。すなわち、トライアル係合部材３０（したがって、ドア本体１０）は、固体突出部２０の一方端部２１の中心を回転中心線（Ｙ１）として回転する。
【００４９】
この際、固定突出部材２０の他方端部２２がトライアル係合部材３０のガイド溝３１の第２の大曲率ガイド面３８とすべり接触するので、当該トライアル係合部材３０は固定突出部材２０の長さ方向へ変位することが規制される。そのため、ドア本体１０が回転中にがたつくようなことはない。ここで、ドア本体１０が回転中にがたつかないので、円滑な回転が確保されるとともに、当該ドア本体１０の側端部１１と縦枠５の内側面６との間に大きな隙間ができないことになる。
【００５０】
このようにして、ドア本体１０は、回転初期のうちは固体突出部２０の一方端部２１の中心を回転中心線（Ｙ１）として回転することになるが、この際当該回転中心線（Ｙ１）はドア本体幅方向中央線（Ｃ）に対してドア本体１０の側端部１１の一方角部１３と同一側になるような位置にある。そのため、ドア本体１０の回転に伴う一方角部１３の軌跡は、回転中心が上記幅方向中央線（Ｃ）上に固定された従来例（図１７）よりは小さい円弧状となり、縦枠５の内側面６との間の隙間（Ｇ）が狭くても干渉しない。また、ドア本体１０の側端部１１の他方角部１２はドア本体幅方向中央線（Ｃ）に対して回転中心線（Ｙ１）の反対側にあり、ドア本体１０の回転に伴い縦枠５の内側面６から離れる方向に回転する。一方、カバー５０は、その傾斜部５１をドア本体１０の側端部１１の回転軌跡とは触れない範囲で当該軌跡に近い位置に設けてある。したがって、ドア本体１０の他方角部１２は、縦枠５およびカバー５０とは干渉することはなく、ドア本体１０の側端部１１とカバー５０との間の横方向視隙間Ｇ１を小さくできる。
【００５１】
このように、上記ドア本体１０の回転中、当該ドア本体１０と縦枠５との隙間（Ｇ）を人の指などが入りこめないほどに小さくできるとともに、当該ドア本体１０とカバー５０の傾斜部５１との間の横方向視隙間Ｇ１を隙間（Ｇ）と同程度乃至はそれ以下にすることができる。そのため、指詰め事故を防止できる。
【００５２】
さらに、図８に示すように、更にドア本体１０を回転させると、トライアル係合部材３０のガイド溝３１の回転中心移行ガイド面３９と固体側突出部２０の側面２６とが転がり接触するようになり、当該トライアル係合部材３０（したがってドア本体１０）の回転中心線（Ｙ１２）は、第１の回転支持凹部３３から回転中心移行ガイド面３９に沿って第２の回転支持凹部３５へ滑らかに移ってゆく。この際、固定突出部材２０の一方端部２１はトライアル係合部材３０のガイド溝３１の第１の大曲率ガイド面３７とすべり接触するとともに、その他方端部２２はガイド溝３１の第２の大曲率ガイド面３８とすべり接触するので、当該トライアル係合部材３０は固定突出部材２０の長さ方向への変位を規制される。そのため、トライアル係合部材３０のガイド溝３１の回転中心移行ガイド面３９と固体側突出部２０の側面２６との転がり接触は順調に行われることになり、ドア本体１０）の回転中心線（Ｙ１２）の移行は円滑に行われる。そのため、ドア本体１０は、がたつくことはない。なお、この際、ドア本体１０の側端部１１とカバー５０の傾斜部５１との間の横方向視隙間Ｇ１は人の指が入りこめないほど狭くなっている。
【００５３】
そして、ドア本体１０を更に回転させると、トライアル係合部材３０のガイド溝３１の第２の回転支持凹部３５が固体突出部２０の他方端部２２と摺接して相対回転するようになり、当該トライアル係合部材３０（したがってドア本体１０）は固体突出部２０の他方端部２２の中心を回転中心線（Ｙ２）として回転するようになる。この際、固定突出部材２０の一方端部２１はトライアル係合部材３０のガイド溝３１の第１の大曲率ガイド面３７とすべり接触するので、当該トライアル係合部材３０は固定突出部材２０の長さ方向への変位は規制されることになり、ドア本体１０はがたつかない。
【００５４】
ここで、ドア本体１０が矢印Ｑ方向に回転して図９に示す開状態位置に達した場合、図６実線で示す閉状態位置より回転中心線（Ｙ１，Ｙ２）が変位した距離だけ縦枠５に対して移動したことになる。すなわち、上記回転をした結果、ドア本体１０は、上記回転中心線の矢印Ｃ，Ｄ方向の変位分だけ縦枠５から離れ、上記回転中心線の矢印Ｅ，Ｆ方向の変位分だけカバー５０に接近することになる。これにより、ドア本体１０は、縦枠５に干渉することなく円滑回転が確保される。また、ドア本体１０の上記した回転（矢印Ｑ方向回転中）に伴い当該ドア本体１０とカバー５０との距離は狭まってくるので、カバー５０の縦枠５への固定位置および傾斜部５１の傾斜角度φを上記ドア本体１０の移動距離を考慮して選択すれば、上記横方向視隙間Ｇ１を人の指が入りこめないほど狭くすることができ、容易に指詰め事故を未然に防止することができる。
【図面の簡単な説明】
【００５５】
【図１】第１の実施の形態に係るドア構造の全体構成を説明するための平面図である。
【図２】第１の実施の形態に係るドア構造のカバーを説明するための横断面図である。
【図３】第１の実施の形態に係るドア構造のカバーを示す斜視図である。
【図４】第１の実施の形態に係るドア構造のカバーの縦枠に対する配設位置を説明するための図である。
【図５】第１の実施の形態に係るドア構造の全体構成を説明するための正面図である。
【図６】第２の実施の形態に係るドア構造の全体構成を説明するための平面図である。
【図７】第２の実施の形態に係るドア構造の動作を説明するための図（１）である。
【図８】第２の実施の形態に係るドア構造の動作を説明するための図（２）である。
【図９】第２の実施の形態に係るドア構造の動作を説明するための図（３）である。
【図１０】第２の実施の形態に係るドア構造の全体構成を説明するための正面図である。
【図１１】上の固定突出部材を説明するための図で、（Ａ）は正面図、（Ｂ）は底面図である。
【図１２】下の固定突出部材を説明するための図で、（Ａ）は正面図、（Ｂ）は平面図である。
【図１３】固定突出部材の形状を示す図で、（Ａ）は正面図、（Ｂ）は側面図である。
【図１４】上のトライアル係合部材を説明するための図で、（Ａ）は縦断面図、（Ｂ）は平面図である。
【図１５】下のトライアル係合部材を説明するための図で、（Ａ）は縦断面図、（Ｂ）は底面図である。
【図１６】トライアル係合部材のガイド溝を説明するための図である。
【図１７】従来のドア構造におけるドア本体の回転を説明するための図である。
【図１８】従来のドア構造におけるドア本体の回転動作を説明するための図である。
【図１９】従来のドア構造における不具合を説明するための図である。
【符号の説明】
【００５６】
２    壁
４    枠部
５    縦枠
６    縦枠の内側面
７    戸当り
１０    ドア本体
１１    側端部
１２    他方角部
１３    一方角部
２０    固定突出部材
２０Ｄ  下の固定突出部材  
２０Ｕ  上の固定突出部材
３０    トライアル係合部材
３０Ｄ  下のトライアル係合部材
３０Ｕ  上のトライアル係合部材
３１    ガイド溝
３２    第１の角部
３３    第１の回転支持凹部
３４    第２の角部
３５    第２の回転支持凹部
３６    第３の角部
３７    第１の大曲率ガイド面
３８    第２の大曲率ガイド面
３９    回転中心移行ガイド面
５０    カバー
５１    傾斜部
５５    被固定部
Ｙ１，Ｙ２，Ｙ１２    回転中心線
Ｃ      ドア本体幅方向中央線
【図１】
2011106098.tif 000003
【図２】
2011106098.tif 000004
【図３】
2011106098.tif 000005
【図４】
2011106098.tif 000006
【図５】
2011106098.tif 000007
【図６】
2011106098.tif 000008
【図７】
2011106098.tif 000009
【図８】
2011106098.tif 000010
【図９】
2011106098.tif 000011
【図１０】
2011106098.tif 000012
【図１１】
2011106098.tif 000013
【図１２】
2011106098.tif 000014
【図１３】
2011106098.tif 000015
【図１４】
2011106098.tif 000016
【図１５】
2011106098.tif 000017
【図１６】
2011106098.tif 000018
【図１７】
2011106098.tif 000019
【図１８】
2011106098.tif 000020
【図１９】
2011106098.tif 000021
【手続補正書】
【提出日】平成22年4月26日(2010.4.26)
【手続補正１】
【補正対象書類名】明細書
【補正対象項目名】全文
【補正方法】変更
【補正の内容】
【発明の詳細な説明】
【技術分野】
【０００１】
本発明は、回転中心線を中心として１１０°回転可能な回転支持型のドア本体と当該ドア
本体の回転支持端部を覆うカバーとを有するドア構造に関する。
【背景技術】
【０００２】
例えば、建造物の各部屋の出入口にはドアが設けられることが多い。一般のドア構造を図
１７に示す。
【０００３】
図１７において、２は、建造物に固定されかつ開口部を有する壁である。この壁２の開口
部には、ドア本体７１が所定角度（例えば１１０°）の範囲で回転自在に設けられている
。通常、壁２の開口部は、枠部（図示省略）を介して設けられることが多い。なお、図１
７（Ａ）中、実線で示すドア本体７１は、閉じられている状態を示す。
【０００４】
このドア本体７１は、図１８に示すように、閉状態時に壁２の開口部と面する内側面４と
対向する側端部７２を有しており、当該ドア本体７１はその側端部７２よりも内側に設け
られたヒンジ金具７５（回転中心線Ｙ）を中心として所定角度の範囲で回転自在とされて
いる。ドア本体７１と壁２の内側面４との間には、ある程度の隙間が設けられている。こ
れは、隙間がないと、図１９に示すように、ドア本体７１の回転時に側端部７２の角部が
壁２の内側面４と当ってしまい、それ以上回転できなくなるからである。
【０００５】
ここで、図１８中想像線で示すように、ドア本体７１が所定角度回転した状態で、当該ド
ア本体７１と壁２の内側面４との隙間（Ｇ）が大きすぎると、当該隙間（Ｇ）に人の指が
何らかの原因で入ってしまうことがある。その状態で、ドア本体７１が閉じられると、人
の指が上記隙間（Ｇ）に挟まれて怪我する事故が起こることがある。
【０００６】
かかる事故が起こらないように、ドア本体７１の側端部７２と壁２の内側面４との間の距
離（Ｌ０）を縮めることが考えられる。しかし、これでは、図１９に示すように、ドア本
体７１の側端部７２の角部が回転時に壁２の内側面４と干渉してしまい回転続行不可能と
なってしまう。
【０００７】
そこで、ドア本体７１の円滑な回転を確保しつつ指詰め事故が起こらないようにする方策
として、ある程度の隙間（Ｇ）をドア本体７１と壁２との間に設けるとともに当該隙間（
Ｇ）部分を外から覆うカバー（図示省略）を設けることが提案されている（例えば、特許
文献１参照）。このカバーは、縦に折り畳み可能な超薄シートとされており、ドア本体７
１の回動中も変形してドアヒンジ部を覆うことにより、上記隙間（Ｇ）に指が挟まれるの
を防止する構成とされている。
【特許文献１】特開２００３−１８４４２０号公報
【発明の開示】
【発明が解決しようとする課題】
【０００８】
ところで、特許文献１に係る発明の場合、いかにカバーの意匠を工夫してみても見栄えが
悪くなりがちである。最近では、ドアはインテリアの中でも重要な構成要素となっており
、外観の美観性の観点から重大な問題である。
【０００９】
本発明の目的は、上記事情に鑑み、外観の美観性を満たしつつ、そしてドア本体の円滑な
回転を確保しつつ指詰め防止を図ることができるドア構造を提供することにある。
【課題を解決するための手段】
【００１０】
請求項１の発明は、建造物内の一方空間と他方空間とを仕切る壁を有し、この壁には木製
の枠部を介して前記一方空間と前記他方空間とを連絡する開口部が形成されているととも
に、当該開口部を開閉可能な回転支持型のドア本体が設けられており、前記枠部は一対の
縦枠と一対の横枠とからなり、前記ドア本体は閉状態時に前記一対の縦枠のうちの一方の
縦枠の内側面と対向する側端部を有しており、当該ドア本体の側端部は、閉状態時に前記
一方空間と面する一方角部と前記他方空間に面する他方角部とを有しており、当該ドア本
体はその側端部よりも内側の回転中心線を中心として一方角部が前記縦枠の内側面に近づ
く方向に閉状態位置から１１０°回転可能かつ戻し回転可能に構成されるとともに、
前記建造物に、一対の固定突出部材が前記ドア本体の回転中心線に対応する上下端部位置
に対向するように固設されるとともに、当該ドア本体の上下端部位置には、一対のトライ
アル係合部材がそれぞれのガイド溝が対応する前記各固定突出部材と接触するように設け
られており、
前記各固定突出部材は、それぞれ一定の幅および長さを有しており、かつ、平面視で閉状
態の前記ドア本体の幅方向中央線を所定の傾斜角度で横切るとともに長さ方向の両端部に
は半円弧形状の一方端部と他方端部とが形成されており、
前記トライアル係合部材は、平面視略正三角形状のガイド溝を有しており、その３つの角
部のうちの１つであり前記一方空間寄りの第１の角部が前記ドア本体の幅方向中央線に対
して当該ドア本体の一方角部と同一側となる位置に形成されており、当該第１の角部には
、前記固定突出部材の一方端部と摺接しながら相対回転する円弧形状に凹んだ第１の回転
支持凹部が形成され、他の２つの角部である第２の角部および第３の角部は前記幅方向中
央線に対して前記第１の角部とは反対側になるように配設されており、当該第２、第３の
角部のうち当該ドア本体の他方角部に近い方の第２の角部には、前記固定突出部材の他方
端部と摺接しながら相対回転する円弧形状に凹んだ第２の回転支持凹部が形成されており
、当該第２の角部と前記第３の角部との間には、前記トライアル係合部材の第１の回転支
持凹部が前記固定突出部材の一方端部と摺接しながら相対回転する場合の当該固定突出部
材の長さ相当の半径を有する円弧形状の第２大曲率ガイド面が形成されるとともに、当該
第３の角部と前記第１の角部との間には、前記トライアル係合部材の第２の回転支持凹部
が前記固定突出部材の他方端部と摺接しながら相対回転する場合の当該固定突出部材の長
さ相当の半径を有する円弧形状の第１大曲率ガイド面が形成されており、前記第１の回転
支持凹部と第２の回転支持凹部との間には、前記固定突出部材の側面に向けて出っ張って
当該側面と転がり接触する回転中心移行ガイド面が形成されたドア構造において、
前記一方縦枠の前記他方空間と面する内側面部分に、カバーを当該他方空間へ向けて突設
し、
前記カバーが、前記一方縦枠の内側面の法線方向より閉状態時のドア本体に接近するよう
に２０°傾斜されて前記一方縦枠の内側面と協働して前記ドア本体の側端部の回転を許容
する空間を形成するとともに当該一方縦枠の内側面と当該ドア本体の側端部との間の隙間
を覆う傾斜部および当該傾斜部の内側に当該カバーを当該一方縦枠の内側面に固定するた
めの固定部材打ち込みに使用される被固定部を有し、当該カバーの被固定部は、前記傾斜
部の内側面となす角度が８０°〜１００°となるように形成され、当該カバーは、剛体で
前記枠部と同種の材料である木製でされたドア構造である。
【００１１】
上記請求項１の発明の場合、カバーの傾斜部が一方縦枠の内側面とドア本体の側端部と
の間の隙間を覆うので、当該隙間に人間の手の指が挟まってしまうのを効果的に防げる。
なお、カバーは、一方縦枠の内側面と協働してドア本体の側端部の回転を許容する空間を
形成するので、ドア本体の円滑な回動は確保される。
【００１２】
また、カバーの傾斜部は閉状態時のドア本体に接近するように傾斜されているので、他方
空間における占有容積を大きくすることなく上記隙間を覆うことができるので、外観の美
観性を損なわない。
【００１３】
また、カバーを一方縦枠の内側面に固定するための固定部材打ち込みに使用される被固定
部が、他方空間からは目視し難い傾斜部の内側に形成されている。
【００１４】
そのため、釘などの固定部材を打ち込んでも目に付きづらく、この点でも外観の美観性を
低下させない。
【００１５】
上記した作用を有する他、次のような作用を奏する。すなわち、ドア本体を閉状態にある
位置から開状態位置まで回転させると、回転中に当該ドア本体の回転中心線は変位する。
これに伴って、ドア本体は静止体（縦枠、カバー）に対して移動することになる。すなわ
ち、ドア本体は、上記回転中心線の変位に相応した距離だけ縦枠から離れるとともにカバ
ーに接近することになる。これにより、ドア本体は、縦枠に干渉することなく一段と円滑
回転が確保される。
【００１６】
また、ドア本体の回転に伴い当該ドア本体とカバーとの距離は狭まってくるので、カバー
の縦枠への固定位置および傾斜部の傾斜角度を適宜選択すれば、カバーとドア本体の側端
部との間の横方向視隙間を人の指が入りこめないほど狭くすることができ、容易に指詰め
事故を一段と容易かつ確実に防止することができる。
【００１７】
また、カバーの被固定部が、前記傾斜部の内側面となす角度が８０°〜１００°となるよ
うに形成されているので、被固定部に釘などの固定部材を打ち込んで一方縦枠の内側面に
固定する際、固定部材を工具（例えば金槌）で打ち込みやすくなり作業性が一段と向上す
る。また、打ち込んだ釘の頭などはカバーの傾斜部に隠れて外部からは見えないので、外
観美観性を損なわない。
【００１８】
また、カバーが剛体で枠部と同種である木製とされており、従来例のように変形してドア
本体の回転軸付近を覆うのではないので、枠部の一部と同視されるのでデザイン上の統一
感を一段と増すことができ、外観美観性を一段と向上させることができる。
【発明の効果】
【００１９】
請求項１の発明によれば、カバーの傾斜部が一方縦枠の内側面とドア本体の側端部との間
の隙間を覆うので、当該隙間に人間の手の指が挟まってしまうのを効果的に防げる。
【００２０】
また、カバーの傾斜部は閉状態時のドア本体に接近するように傾斜されているので、他方
空間における占有容積を大きくすることなく上記隙間を覆うことができるので、従来のカ
バーに見られるいわゆるボッテリした印象を払拭できる。また、カバーを一方縦枠材の内
側面に固定するための固定部材を打ち込むために使用する被固定部が、外部（他方空間）
からは目視し難い傾斜部の内側に形成されているので、釘などの固定部材を打ち込んでも
目につかない。したがって、外観の美観性を満たしつつ、そしてドア本体の円滑な回転を
確保しつつ指詰め防止を図ることができる。特に、本願発明では、ドア本体の回動中にそ
の回転中心線が移行して当該ドア本体の側端部と一方縦枠材の内側面との間の隙間が極力
小さくなるように自動調整されるので、ドア本体の円滑な９０°回転を確保しつつ一段と
有効に指詰め防止を図ることができる。
【００２１】
また、カバーの被固定部が傾斜部の内側面と直角となるように形成されているので、固定
部材を被固定部に工具（例えば金槌）で打ち込みやすくなり作業性が一段と向上する。
【００２２】
また、カバーが、剛体で枠部と同種の材料から形成されているので、当該カバーが枠部の
一部と同視されるのでデザイン上の統一感を一段と増すことができ、外観美観性を一段と
向上させることができる。
【発明を実施するための最良の形態】
【００２３】
第１の実施の形態に係るドア構造は、図１および図５に示すように、建造物内の壁２に枠
部４を介して形成された開口部に９０〜１１０°（本実施形態では１１０°）回転可能に
回転支持型のドア本体１０が配設されたものであって、当該ドア本体１０の回転支持部の
付近に本発明の特徴部であるカバー５０を設けて当該ドア本体１０の円滑な回転を図りつ
つ、壁２側の縦枠５との間の隙間（Ｇ）に指を挟んで傷める事故を防止しようとするもの
である。なお、図５では、カバー５０は、図示を省略する。
【００２４】
具体的には、壁２は、図１に示すように、建造物（例えば、一般住宅やオフィスビルなど
）内の一方空間Ｓ１と他方空間Ｓ２とを仕切るものである。この壁２には、枠部４を介し
て一方空間Ｓ１と他方空間Ｓ２とを連絡する開口部が形成されている。
【００２５】
枠部４は、ドア本体１０を回転支持する側の一方縦枠５と、この一方縦枠５に対向して立
設された他方縦枠５ａと、上下方向に対向して配設された一対の横枠（８，８）とから形
成されている。この実施形態では、枠部４は、木製とされているが、金属製（例えばアル
ミニウム製）としてもよい。
【００２６】
一方縦枠５の他方空間Ｓ２と面する内側面６部分には、図１に示すように、カバー５０が
当該他方空間Ｓ２へ突出するように取り付けられている。このカバー５０は、デザイン上
、枠部４との統一感を出すために当該枠部４と同一の材料で形成されている。この実施形
態では、枠部４が木製とされているので、カバー５０も同一種類の木製とされている。枠
部４が金属製（例えばアルミニウム製）の場合にはカバー５０も同一種類の金属製とする
。なお、カバー５０を一方縦枠５と一体形成することも可能である。
【００２７】
具体的には、カバー５０は、図１中実線で示す閉状態時のドア本体１０に接近するように
傾斜された傾斜部５１と、当該カバー５０を縦枠５の内側面６に固定するための固定部材
（釘やビスなど）５９を打ち込むために使用される部位である被固定部５５とを有し、当
該縦枠５の内側面６との間に図１中平面視鋭角の空き空間を形成して当該ドア本体１０の
側端部１１の回転許容空間を確保するとともに、当該側端部１１と当該内側面６との間の
隙間（Ｇ）に手の指が入り込んで傷めるのを未然に防止する構成とされている。
【００２８】
この実施形態では、カバー５０の傾斜部５１は、図２に示すように、縦枠５の内側面６の
法線方向Ｎより同図実線で示す閉状態時のドア本体１０に接近するように角度φ（本実施
形態ではφ＝２０°）だけ傾斜するように形成されている。
【００２９】
このカバー５０の存在によって、他方空間Ｓ２の人の手の指が上記隙間（Ｇ）に縦枠５の
内側面６に沿う方向（図１中矢印Ｃ，Ｄ方向）から入り込むのが防止されるのは勿論であ
るが、縦枠５の内側面６と直交する方向（図１中矢印Ｅ，Ｆ方向）から手の指が入り込も
うとしても、当該矢印Ｅ，Ｆ方向（横方向）から視たカバー５０の傾斜部５１の先端５１
ｐとドア本体１０の側端部１１の他方角部１２との間の隙間（横方向視隙間）Ｇ１が手の
指が入り込むのを阻止可能な狭さに設定されているので、進入が阻止される。
【００３０】
また、カバー５０の被固定部５５は、図２に示すように、その表面が上記傾斜部５１の内
側面５２とβ（β＝９０°〜１１０°、本実施形態ではβ＝９０°）をなして交わるよう
に当該傾斜部５１の内側に設けられている。これにより、カバー５０が、縦枠５と別部材
であって当該縦枠５に固定する際に被固定部５５に釘などの固定部材５９を打ち込んでも
当該釘の頭などは外部（他方空間Ｓ２側）からは見えず、外観美観性を損なわない。もと
より、一方空間Ｓ１側からも上記固定部材５９はドア本体１０に隠れて見えない。
【００３１】
ドア本体１０は、ヒンジ１９等の回転支持機構を介してその縦方向軸心（回転中心線Ｙ）
を中心として回動可能とされている。なお、ヒンジ１９は、ドア本体１０の側端部１１が
回転中に一方縦枠５の内側面６と干渉しない長さだけ当該内側面６から離れた位置に設け
られている。
【００３２】
このドア本体１０を図１実線で示す閉状態位置から同図中矢印Ｑ方向へ９０°〜１１０°
（この実施形態では１１０°）回転させて同図想像線で示す開状態位置まで変位させれば
、壁２の開口部は開いて一方空間Ｓ１と他方空間Ｓ２とは連通する。また、ドア本体１０
を開状態位置から閉状態位置まで回転（すなわち、戻し回転）すれば、壁２の開口部は閉
じて一方空間Ｓ１と他方空間Ｓ２とは遮断される。
【００３３】
ここで、ドア本体１０の側端部１１と一方縦枠５との間に指を挟む事故は、ドア本体１０
が開状態から戻し回転される場合が多いが、かかる場合でもカバー５０の傾斜部５１とド
ア本体１０の側端部１１との間に生じる横方向視隙間Ｇ１はドア本体１０が閉状態位置に
ある場合に比べて過大に広くなってはおらず、有効に指挟み事故を防げる。なお、カバー
５０は、一方縦枠５と協働して奥に広い空き空間を形成するので、ドア本体１０の側端部
１１の回転が妨げられることはなく、ドア本体１０の円滑な回転は確保される。
【００３４】
また、カバー５０の傾斜部５１は、閉状態時のドア本体１０に接近するように傾斜されて
おり他方空間Ｓ２における占有容積が小さくなり、いわゆるボッテリした印象を見る人に
与えず外観の美観性を損なわない。
【００３５】
また、カバーを一方縦枠に固定するための固定部材５９が打ち込まれる被固定部５５が傾
斜部５１の内側に形成されており他方空間Ｓ２からは目視し難いので、この点でも外観の
美観性を低下させない。
（第２の実施形態）
【００３６】
第２の実施形態のドア構造は、ドア本体１０が開閉する際に回転中心（Ｙ１等）が変位し
てその側端部１１が縦枠５との間に生じる隙間（Ｇ）を小さくするとともに、カバー５０
の傾斜部５１との間に生じる横方向視隙間Ｇ１を一段と狭くして、ドア本体１０の円滑な
回転を確保しつつ一段と指詰め防止を図ることができる構成とされている。
【００３７】
ここで、第２の実施形態のドア構造は、ドア本体１０回転時の回転中心（Ｙ１等）を変位
させる回転支持機構を有する他は第１実施形態の場合と同様な構成であるので、ドア本体
１０の回転支持機構を以下に詳細に説明し、カバー５０等の説明は簡略化もしくは省略す
る。
【００３８】
具体的には、第２実施形態のドア構造は、図６および図１０に示すように、基本的には上
記第１実施形態と同様に建造物内の壁２に枠部４を介して形成された開口部３にドア本体
１０が９０°〜１１０°（この実施形態では１１０°）回転可能に設けられており、一対
の固定突出部材２０と一対のトライアル係合部材３０とからなる回転支持機構を備えた構
成とされている。
【００３９】
一対の固定突出部材２０（２０Ｕ，２０Ｄ）は、図１０に示すように、ドア本体１０の回
転中心線（Ｙ１等）に対応する上下端部位置に対向するように建造物（縦枠５）に固設さ
れている。また、一対のトライアル係合部材（３０Ｕ，３０Ｄ）は、ドア本体１０の上記
した上下端部（上側端部１５，下側端部１６）位置に固設されている。各トライアル係合
部材（３０Ｕ，３０Ｄ）は、それぞれガイド溝３１を有しており、当該各ガイド溝３１に
は対応する固定係合部材（２０Ｕ，２０Ｄ）が接触して、ドア本体１０を回転する際には
その回転中心線（Ｙ１等）を変位させる役目を果たす。
【００４０】
詳しくは、上方の固定突出部材２０Ｕは、図１１に示すように、ドア本体１０の回転中心
線（Ｙ１等）に対応する上側端部１５位置に対向するように縦枠５の内側面６に取付部材
２９等を介して固定されている。また、下方の固定突出部材２０Ｄは、図１２に示すよう
に、ドア本体１０の回転中心線（Ｙ１等）に対応する下側端部１６位置に対向するように
取付部材２９等を介して縦枠５の内側面６に固定されている。
【００４１】
各固定突出部材（２０Ｄ，２０Ｕ）は、図１３に示すように、それぞれ一定の幅（ｗ３）
および長さ（Ｌ３）を有しており、長さ方向の両端部には半円形状（半径a）の一方端部
２１と他方端部２２とが形成されている。なお、各固定突出部材（２０Ｄ，２０Ｕ）は、
所定の厚みｔ３を有する。なお、図１３において、２６は固定突出部材２０（２０Ｄ，２
０Ｕ）の側面、２５は天地面で水平面とされている。
【００４２】
上記各両固定突出部材（２０Ｄ，２０Ｕ）は、対応するドア本体１０の上下端部（上側端
部１５，下側端部１６）へ向けて突出しており、図１１および図１２に示すように、縦枠
５の内側面６と直角の方向に対して所定角度α（例えば６７°）だけ傾くように設けられ
ている。各固定突出部材（２０Ｄ，２０Ｕ）は鏡像関係にあり、真上から見た形状は同一
である。
【００４３】
一対のトライアル係合部材（３０Ｄ，３０Ｕ）は、図１４および図１５に示すように、そ
れぞれガイド溝３１を有している。そして、各トライアル係合部材（３０Ｄ，３０Ｕ）は
、それぞれのガイド溝３１が対応する各固定突出部材（２０Ｄ，２０Ｕ）と接触するよう
にドア本体１０の回転中心線（Ｙ１等）に対応する上下端部（１５，１６）位置に設けら
れている。すなわち、下のトライアル係合部材３０Ｄは、図１５に示すように、そのガイ
ド溝３１が下側を向くようにドア本体１０の回転中心線（Ｙ１等）に対応する下端部位置
１６に取付部材４１を介して固定されている。また、上のトライアル係合部材３０Ｕは、
図１４に示すように、そのガイド溝３１が上側を向くようにドア本体１０の回転中心線（
Ｙ１等）に対応する上端部１５位置に取付部材４１Ｕを介して固定されている。これらの
トライアル係合部材（３０Ｄ，３０Ｕ）は鏡像関係にあり、真上から見た形状は同一であ
る。
【００４４】
各トライアル係合部材のガイド溝３１は、図１６に示すように、平面視略正三角形状をし
ており、３つの角部（３２，３４，３６）のうちの１つの角部である第１の角部３２が図
６に示すドア本体１０の幅方向中央線Ｃに対して当該ドア本体１０の側端部１１の一方角
部１３と同一側となるように配設されている。そして、この一方角部３４には、固定側突
出部（２０Ｄ，２０Ｕ）の一方端部２１と摺接しながら相対回転する円弧形状に凹んだ第
１の回転支持凹部３３が形成されている。
【００４５】
他の２つの角部（３４，３６）は、前記幅方向中央線Ｃに対して前記一方角部３２とは反
対側になるように配設されており、当該角部（３４，３６）のうちドア本体１０の側端部
１１の他方角部１２に近くに配設される角部（第２の角部）３４には、前記固定側突出部
（２０Ｄ，２０Ｕ）の他方端部２２と摺接しながら相対回転する円弧形状に凹んだ第２の
回転支持凹部３５が形成されている。第２の回転支持凹部３５が形成された第２の角部３
３と他方の角部（第３の角部）３６との間には、第２の大曲率ガイド面３８が形成されて
いる。この第２の大曲率ガイド面３８は、前記トライアル係合部材（３０Ｄ，３０Ｕ）の
第１の回転支持凹部３３が前記固定突出部材（２０Ｄ，２０Ｕ）の一方端部２１と摺接し
ながら相対回転する場合の当該固定突出部材２０の長さＬ３相当の半径ｂ（＝Ｌ３）を有
する円弧形状に形成されている。
【００４６】
第３の角部３６と前記第１の角部３２（第１の回転支持凹部３３）との間には、第１の大
曲率ガイド面３７が形成されている。この第１の大曲率ガイド面３７は、前記トライアル
係合部材（３０Ｄ，３０Ｕ）の第２の回転支持凹部３５が前記固定突出部材（２０Ｄ，２
０Ｕ）の他方端部２２と摺接しながら相対回転する場合の当該固定突出部材（２０Ｄ，２
０Ｕ）の長さＬ３相当の半径ｂ（＝Ｌ３）を有する円弧形状に形成されている。前記第１
の回転支持凹部３３と第２の回転支持凹部３５との間は、前記固定突出部材（３０Ｄ，３
０Ｕ）の側面２６に向けて出っ張って（半径ｃの円弧形状）、当該側面２６と転がり接触
する回転中心移行ガイド面３９が形成されている。
【００４７】
上記第２の実施形態に係るドア構造の場合の作用を以下に説明する。なお、各固定側突出
部（２０Ｄ，２０Ｕ）は前記したように鏡像関係にあり、図１０の矢視線Ｅから視た形状
は同一であるので、当該同一形状のものを符号２０で表わして固定突出部材を説明する。
同様に、各トライアル係合部材（３０Ｄ，３０Ｕ）も前記したように鏡像関係にあり、同
図の矢視線Ｅから視た形状は同一であるので、当該同一形状のものを符号３０で表わして
トライアル係合部材を説明する。なお、取付部材（２９，４１）は図示を省略する。また
、上記したように、固定突出部材２０は、縦枠５の内側面６と直角な方向に対して所定角
度α（例えば６７°）だけ傾斜しており、図１に示す閉状態のドア本体１０の幅方向中央
線Ｃを上記角度αで横切っている。
【００４８】
ドア本体１０を図６に示す閉状態から９０°〜１１０°回転させて開状態位置まで変位さ
せる場合には、図７に示すように、回転開始から初期のうち（少なくともドア本体１０の
側端部１１の一方角部１３が縦枠５の内側面６に接近する間）は、ドア本体１０側のトラ
イアル係合部材３０のガイド溝３１の部位のうち第１の回転支持凹部３３と固定突出部材
２０の一方端部２１とが摺接して相対回転する。すなわち、トライアル係合部材３０（し
たがって、ドア本体１０）は、固体突出部２０の一方端部２１の中心を回転中心線（Ｙ１
）として回転する。
【００４９】
この際、固定突出部材２０の他方端部２２がトライアル係合部材３０のガイド溝３１の第
２の大曲率ガイド面３８とすべり接触するので、当該トライアル係合部材３０は固定突出
部材２０の長さ方向へ変位することが規制される。そのため、ドア本体１０が回転中にが
たつくようなことはない。ここで、ドア本体１０が回転中にがたつかないので、円滑な回
転が確保されるとともに、当該ドア本体１０の側端部１１と縦枠５の内側面６との間に大
きな隙間ができないことになる。
【００５０】
このようにして、ドア本体１０は、回転初期のうちは固体突出部２０の一方端部２１の中
心を回転中心線（Ｙ１）として回転することになるが、この際当該回転中心線（Ｙ１）は
ドア本体幅方向中央線（Ｃ）に対してドア本体１０の側端部１１の一方角部１３と同一側
になるような位置にある。そのため、ドア本体１０の回転に伴う一方角部１３の軌跡は、
回転中心が上記幅方向中央線（Ｃ）上に固定された従来例（図１７）よりは小さい円弧状
となり、縦枠５の内側面６との間の隙間（Ｇ）が狭くても干渉しない。また、ドア本体１
０の側端部１１の他方角部１２はドア本体幅方向中央線（Ｃ）に対して回転中心線（Ｙ１
）の反対側にあり、ドア本体１０の回転に伴い縦枠５の内側面６から離れる方向に回転す
る。一方、カバー５０は、その傾斜部５１をドア本体１０の側端部１１の回転軌跡とは触
れない範囲で当該軌跡に近い位置に設けてある。したがって、ドア本体１０の他方角部１
２は、縦枠５およびカバー５０とは干渉することはなく、ドア本体１０の側端部１１とカ
バー５０との間の横方向視隙間Ｇ１を小さくできる。
【００５１】
このように、上記ドア本体１０の回転中、当該ドア本体１０と縦枠５との隙間（Ｇ）を人
の指などが入りこめないほどに小さくできるとともに、当該ドア本体１０とカバー５０の
傾斜部５１との間の横方向視隙間Ｇ１を隙間（Ｇ）と同程度乃至はそれ以下にすることが
できる。そのため、指詰め事故を防止できる。
【００５２】
さらに、図８に示すように、更にドア本体１０を回転させると、トライアル係合部材３０
のガイド溝３１の回転中心移行ガイド面３９と固体側突出部２０の側面２６とが転がり接
触するようになり、当該トライアル係合部材３０（したがってドア本体１０）の回転中心
線（Ｙ１２）は、第１の回転支持凹部３３から回転中心移行ガイド面３９に沿って第２の
回転支持凹部３５へ滑らかに移ってゆく。この際、固定突出部材２０の一方端部２１はト
ライアル係合部材３０のガイド溝３１の第１の大曲率ガイド面３７とすべり接触するとと
もに、その他方端部２２はガイド溝３１の第２の大曲率ガイド面３８とすべり接触するの
で、当該トライアル係合部材３０は固定突出部材２０の長さ方向への変位を規制される。
そのため、トライアル係合部材３０のガイド溝３１の回転中心移行ガイド面３９と固体側
突出部２０の側面２６との転がり接触は順調に行われることになり、ドア本体１０）の回
転中心線（Ｙ１２）の移行は円滑に行われる。そのため、ドア本体１０は、がたつくこと
はない。なお、この際、ドア本体１０の側端部１１とカバー５０の傾斜部５１との間の横
方向視隙間Ｇ１は人の指が入りこめないほど狭くなっている。
【００５３】
そして、ドア本体１０を更に回転させると、トライアル係合部材３０のガイド溝３１の第
２の回転支持凹部３５が固体突出部２０の他方端部２２と摺接して相対回転するようにな
り、当該トライアル係合部材３０（したがってドア本体１０）は固体突出部２０の他方端
部２２の中心を回転中心線（Ｙ２）として回転するようになる。この際、固定突出部材２
０の一方端部２１はトライアル係合部材３０のガイド溝３１の第１の大曲率ガイド面３７
とすべり接触するので、当該トライアル係合部材３０は固定突出部材２０の長さ方向への
変位は規制されることになり、ドア本体１０はがたつかない。
【００５４】
ここで、ドア本体１０が矢印Ｑ方向に回転して図９に示す開状態位置に達した場合、図６
実線で示す閉状態位置より回転中心線（Ｙ１，Ｙ２）が変位した距離だけ縦枠５に対して
移動したことになる。すなわち、上記回転をした結果、ドア本体１０は、上記回転中心線
の矢印Ｃ，Ｄ方向の変位分だけ縦枠５から離れ、上記回転中心線の矢印Ｅ，Ｆ方向の変位
分だけカバー５０に接近することになる。これにより、ドア本体１０は、縦枠５に干渉す
ることなく円滑回転が確保される。また、ドア本体１０の上記した回転（矢印Ｑ方向回転
中）に伴い当該ドア本体１０とカバー５０との距離は狭まってくるので、カバー５０の縦
枠５への固定位置および傾斜部５１の傾斜角度φを上記ドア本体１０の移動距離を考慮し
て選択すれば、上記横方向視隙間Ｇ１を人の指が入りこめないほど狭くすることができ、
容易に指詰め事故を未然に防止することができる。
【図面の簡単な説明】
【００５５】
【図１】第１の実施の形態に係るドア構造の全体構成を説明するための平面図である。
【図２】第１の実施の形態に係るドア構造のカバーを説明するための横断面図である。
【図３】第１の実施の形態に係るドア構造のカバーを示す斜視図である。
【図４】第１の実施の形態に係るドア構造のカバーの縦枠に対する配設位置を説明するための図である。
【図５】第１の実施の形態に係るドア構造の全体構成を説明するための正面図である。
【図６】第２の実施の形態に係るドア構造の全体構成を説明するための平面図である。
【図７】第２の実施の形態に係るドア構造の動作を説明するための図（１）である。
【図８】第２の実施の形態に係るドア構造の動作を説明するための図（２）である。
【図９】第２の実施の形態に係るドア構造の動作を説明するための図（３）である。
【図１０】第２の実施の形態に係るドア構造の全体構成を説明するための正面図である。
【図１１】上の固定突出部材を説明するための図で、（Ａ）は正面図、（Ｂ）は底面図である。
【図１２】下の固定突出部材を説明するための図で、（Ａ）は正面図、（Ｂ）は平面図である。
【図１３】固定突出部材の形状を示す図で、（Ａ）は正面図、（Ｂ）は側面図である。
【図１４】上のトライアル係合部材を説明するための図で、（Ａ）は縦断面図、（Ｂ）は平面図である。
【図１５】下のトライアル係合部材を説明するための図で、（Ａ）は縦断面図、（Ｂ）は底面図である。
【図１６】トライアル係合部材のガイド溝を説明するための図である。
【図１７】従来のドア構造におけるドア本体の回転を説明するための図である。
【図１８】従来のドア構造におけるドア本体の回転動作を説明するための図である。
【図１９】従来のドア構造における不具合を説明するための図である。
【符号の説明】
【００５６】
２    壁
４    枠部
５    縦枠
６    縦枠の内側面
７    戸当り
１０    ドア本体
１１    側端部
１２    他方角部
１３    一方角部
２０    固定突出部材
２０Ｄ  下の固定突出部材  
２０Ｕ  上の固定突出部材
３０    トライアル係合部材
３０Ｄ  下のトライアル係合部材
３０Ｕ  上のトライアル係合部材
３１    ガイド溝
３２    第１の角部
３３    第１の回転支持凹部
３４    第２の角部
３５    第２の回転支持凹部
３６    第３の角部
３７    第１の大曲率ガイド面
３８    第２の大曲率ガイド面
３９    回転中心移行ガイド面
５０    カバー
５１    傾斜部
５５    被固定部
Ｙ１，Ｙ２，Ｙ１２    回転中心線
Ｃ      ドア本体幅方向中央線
【手続補正２】
【補正対象書類名】特許請求の範囲
【補正対象項目名】全文
【補正方法】変更
【補正の内容】
【特許請求の範囲】
【請求項１】
建造物内の一方空間と他方空間とを仕切る壁を有し、この壁には木製の枠部を介
して前記一方空間と前記他方空間とを連絡する開口部が形成されているとともに、当該開
口部を開閉可能な回転支持型のドア本体が設けられており、前記枠部は一対の縦枠と一対
の横枠とからなり、前記ドア本体は閉状態時に前記一対の縦枠のうちの一方の縦枠の内側
面と対向する側端部を有しており、当該ドア本体の側端部は、閉状態時に前記一方空間と
面する一方角部と前記他方空間に面する他方角部とを有しており、当該ドア本体はその側
端部よりも内側の回転中心線を中心として一方角部が前記縦枠の内側面に近づく方向に閉
状態位置から１１０°回転可能かつ戻し回転可能に構成されるとともに、
前記建造物に、一対の固定突出部材が前記ドア本体の回転中心線に対応する上下端部
位置に対向するように固設されるとともに、当該ドア本体の上下端部位置には、一対のト
ライアル係合部材がそれぞれのガイド溝が対応する前記各固定突出部材と接触するように
設けられており、
前記各固定突出部材は、それぞれ一定の幅および長さを有しており、かつ、平面視で閉状
態の前記ドア本体の幅方向中央線を所定の傾斜角度で横切るとともに長さ方向の両端部に
は半円弧形状の一方端部と他方端部とが形成されており、
前記トライアル係合部材は、平面視略正三角形状のガイド溝を有しており、その３つの角
部のうちの１つであり前記一方空間寄りの第１の角部が前記ドア本体の幅方向中央線に対
して当該ドア本体の一方角部と同一側となる位置に形成されており、当該第１の角部には
、前記固定突出部材の一方端部と摺接しながら相対回転する円弧形状に凹んだ第１の回転
支持凹部が形成され、他の２つの角部である第２の角部および第３の角部は前記幅方向中
央線に対して前記第１の角部とは反対側になるように配設されており、当該第２、第３の
角部のうち当該ドア本体の他方角部に近い方の第２の角部には、前記固定突出部材の他方
端部と摺接しながら相対回転する円弧形状に凹んだ第２の回転支持凹部が形成されており
、当該第２の角部と前記第３の角部との間には、前記トライアル係合部材の第１の回転支
持凹部が前記固定突出部材の一方端部と摺接しながら相対回転する場合の当該固定突出部
材の長さ相当の半径を有する円弧形状の第２大曲率ガイド面が形成されるとともに、当該
第３の角部と前記第１の角部との間には、前記トライアル係合部材の第２の回転支持凹部
が前記固定突出部材の他方端部と摺接しながら相対回転する場合の当該固定突出部材の長
さ相当の半径を有する円弧形状の第１大曲率ガイド面が形成されており、前記第１の回転
支持凹部と第２の回転支持凹部との間には、前記固定突出部材の側面に向けて出っ張って
当該側面と転がり接触する回転中心移行ガイド面が形成されたドア構造において、
前記一方縦枠の前記他方空間と面する内側面部分に、カバーを当該他方空間へ向けて突設
し、
前記カバーが、前記一方縦枠の内側面の法線方向より閉状態時のドア本体に接近するよう
に２０°傾斜されて前記一方縦枠の内側面と協働して前記ドア本体の側端部の回転を許容
する空間を形成するとともに当該一方縦枠の内側面と当該ドア本体の側端部との間の隙間
を覆う傾斜部および当該傾斜部の内側に当該カバーを当該一方縦枠の内側面に固定するた
めの固定部材打ち込みに使用される被固定部を有し、当該カバーの被固定部は、前記
傾斜部の内側面となす角度が８０°〜１００°となるように形成され、当該カバーは、剛
体で前記枠部と同種の材料である木製でされたドア構造。